(57)【要約】  スキンケア装置のためのローラヘッドであって、前記ローラヘッドは、電気機械機構によって該ローラヘッドを駆動するように構成されており、前記ローラヘッドは、該ローラヘッドの面が、少なくとも１つのピークを含み、前記少なくとも１つのピークは、使用中に、前記ピークの第１の面が、該ローラヘッドが時計回り方向に回転されるときに皮膚と接触し、前記ピークの第２の面が、該ローラヘッドが反時計回り方向に回転されるときに皮膚と接触するように配置されている、ローラヘッドにおいて、前記第１の面は、前記第２の面と異なっており、前記第１の面は、第１のベネフィットを提供するように構成されており、前記第２の面は、第２のベネフィットを提供するように構成されている、ローラヘッド。
2021528170.tif 000002
【特許請求の範囲】
【請求項１】
スキンケア装置のためのローラヘッドであって、前記ローラヘッドは、電気機械機構によって該ローラヘッドを駆動するように構成されており、前記ローラヘッドは、
該ローラヘッドの面が、少なくとも１つのピークを含み、前記少なくとも１つのピークは、使用中に、前記ピークの第１の面が、該ローラヘッドが時計回り方向に回転されるときに皮膚と接触し、前記ピークの第２の面が、該ローラヘッドが反時計回り方向に回転されるときに皮膚と接触するように配置されている、ローラヘッドにおいて、
前記第１の面は、前記第２の面と異なっており、前記第１の面は、第１のベネフィットを提供するように構成されており、前記第２の面は、第２のベネフィットを提供するように構成されている、ローラヘッド。
【請求項２】
前記第１の面、および／または、前記第２の面は、硬い皮膚の除去、肌のスムージング、剥脱、マーサージ、保湿、および、潤滑を行うように構成されている、請求項１に記載のローラヘッド。
【請求項３】
前記ローラヘッドは、硬い皮膚を除去するように構成されており、前記第１の面は、第１の粗さを有し、前記第２の面は、第２の粗さを有する、請求項２に記載のローラヘッド。
【請求項４】
前記ローラヘッドが時計回り方向および反時計回り方向に回転されるときに、さらに別のベネフィットを提供するように構成されている追加の面をさらに含む、請求項１〜３のいずれか１項に記載のローラヘッド。
【請求項５】
前記追加の面は、硬い皮膚の除去、皮膚のスムージング、剥脱、マッサージ、保湿、および／または、潤滑を提供するために使用されることができる、請求項４に記載のローラヘッド。
【請求項６】
前記追加の面は、前記第１の面、および／または、前記第２の面と異なっている、請求項５に記載のローラヘッド。
【請求項７】
前記追加の面は、潤滑、および／または、保湿を提供するように構成されている、請求項６に記載のローラヘッド。
【請求項８】
前記ローラヘッドは、前記第１の面を形成する第１の四角形部分、および、前記第１の面を形成する第２の四角形部分を含み、
前記第１の四角形部分および前記第２の四角形部分は、前記少なくとも１つのピークを形成するように配置されている、請求項１〜５のいずれか１項に記載のローラヘッド。
【請求項９】
さらに別のベネフィットを提供する追加の部分をさらに含む、請求項７または８に記載のローラヘッド。
【請求項１０】
硬い皮膚の除去、皮膚のスムージング、剥脱、マッサージ、保湿、および／または、潤滑という前記さらに別のベネフィットを提供するように構成されている、請求項９に記載のローラヘッド。
【請求項１１】
前記ローラヘッドは、４〜１０個のピーク、例えば４〜８個のピーク、例えば５〜７個のピークを含む、請求項１〜１０のいずれか１項に記載のローラヘッド。
【請求項１２】
ローラヘッド、および、ドラムを駆動するように構成された電気機械機構を含むスキンケア装置であって、
前記ローラヘッドは、少なくとも１つのピークを含み、前記少なくとも１つのピークは、使用中に、前記ピークの第１の面が、該ローラヘッドが時計回り方向に回転されるときに皮膚と接触し、前記ピークの第２の面が、該ローラヘッドが反時計回り方向に回転されるときに皮膚と接触するように配置されており
前記第１の面は、第１のベネフィットを提供するように構成されており、前記第２の面は、第２のベネフィットを提供するように構成されている、スキンケア装置。
【請求項１３】
前記装置は、時計回り方向または半時計回り方向のいずれかの方向に前記ローラを回転させるように構成されている、請求項１２に記載のスキンケア装置。
【請求項１４】
前記ローラヘッドは、請求項２〜１１に記載の特徴の任意の１つを含む、請求項１２または１３に記載のスキンケア装置。
【発明の詳細な説明】
【技術分野】
【０００１】
本発明は、スキンケア装置に関し、さらに詳しくは、ローラヘッドにより２つ以上のベネフィットを供給するためのスキンケア装置に関する。ローラヘッドは、足、例えば、かかと、つまさき、裏、または、甲の表面上の硬い、乾燥した皮膚層を除去するために使用されることができる。ローラヘッドはまた、皮膚剥脱、モイスチャリング、および／または、マッサージのような他のスキンケアのためにも使用されることができる。
【背景技術】
【０００２】
硬い皮膚の硬結、および／または、領域は、足上に生じ、例えば、うまく合わない靴からの持続性こすり、または、不均一な圧力によって生じ得る。皮膚硬結は、かかと、拇指球、および、甲の側部に最も一般的に見出される。皮膚硬結は、通常は目に見えず、厚くなればなるほど、ますます黄色に見え得る。時の経過と共に、特に、厚い硬結は、ひび割れし、痛むようになることがある。電気作動足やすり装置を含む、硬結および硬い皮膚を減少させ、または、除去するための多くの知られた方法がある。
【０００３】
知られたスキンケア装置は、各ローラヘッドのために単一のベネフィットを提供する。ユーザーは、スキンケア装置から２つ以上のベネフィットを受け取るために、ローラヘッドを交換する必要がある。
【発明の概要】
【０００４】
本発明の目的は、２つ以上のベネフィットを受け取るために、単一のローラヘッドで多数のベネフィットを提供し、したがって、ユーザーがローラヘッドを交換する必要を軽減することである。
【０００５】
本開示の観点はまた、添付の図面を参照して、例としてのみ、詳細に説明される。
【０００６】
以下で、図面を参照して、実施形態を説明する。
【図面の簡単な説明】
【０００７】
【図１】多数のピークを備えた研磨面を有するローラヘッドを示している。
【図２】多数のピークを有するローラヘッドの面、および、単一のピークを示す差し込み部の概略図である。
【図３】異なる数のピークを備える面を有する１組のローラヘッドを示している。
【図４】第１および第２のピークの間に空間を備えた多数のピークを備えたローラヘッドを示している。
【図５】台形部分から形成されている多数のピークを有するローラヘッドの斜視図および端面図を示している。
【発明を実施するための形態】
【０００８】
図１は、スキンケア装置（図示せず）のためのローラヘッド２を示している。
【０００９】
ローラヘッド２は、ドラム６、および、研磨面４を含む。ドラム６は、ドラム６の各端にシャフト７を含む。ドラム６は、第１の面８および第２の面１０を含む少なくとも１つのピーク９を含む。
【００１０】
第１の面８は、この第１の面８が、第２の面１０と比べて、ユーザーに異なるベネフィットを提供するように、第２の面１０と異なっている。例えば、ユーザーの皮膚上の異なる面をこすることは、ユーザーの皮膚上で異なる効果を有することによって異なるベネフィットを提供することができる。これは、単一のローラヘッドが２つ以上のベネフィットのために使用されることを可能にする。
【００１１】
ローラヘッドは、スキンケア装置によって回転されるように構成されている。スキンケア装置は、シャフト７を介してローラヘッドに結合している。これは、スキンケア装置が、ドラムをその長手方向軸線に沿って回転させることを可能にする。その長手方向に沿ったドラムの回転は、ユーザーが、ユーザーの皮膚にベネフィットを提供することを可能にする。
【００１２】
ユーザーは、第１の面８が１つの方向でユーザーの皮膚と接触し、第２の面１０がもう１の方向でユーザーの皮膚と接触するように、長手方向軸線に沿って異なる方向にローラヘッドを回転させることによって、第１の面８から第１のベネフィットを適用し、第２の面１０から第２のベネフィットを適用する。例えば、ローラヘッド２が時計回り方向に回転されるときに、第１の面８がユーザーの皮膚に接触し、ローラヘッド２が反時計回り方向に回転されるときに、第２の面１０がユーザーの皮膚に接触する。
【００１３】
ローラヘッドによってユーザーの皮膚に提供されるベネフィットは、硬い皮膚の除去、皮膚のスムージング、剥脱、マッサージ、保湿、および／または、潤滑を含み得る。
【００１４】
図２は、ドラム６、および、硬い皮膚を除去するための研磨面４を有するローラヘッド２の面の図を示している。図２のローラヘッド２は、皮膚の除去というベネフィットを提供するために使用されることができる。
【００１５】
硬い皮膚は、粗い面を有するローラヘッドを使用して除去され、皮膚上でのローラヘッドの粗い面の運動は、硬い皮膚を除去する。ローラヘッドの面の粗さの程度は、硬い皮膚が除去される速度を変える。例えば、より粗い面を備えるローラヘッドは、より少ない粗さの面を備えるローラヘッドよりもより速く硬い皮膚を除去するようになる。ユーザーは、最良の硬い皮膚の除去を達成するために、初めに、より粗い面を有するローラを使用し、次いで、粗さのより少ないローラヘッドを使用することを望むことができる。以下に説明する例は、ユーザーが必要なレベルの皮膚の除去を達成する便利な方法を提供することができる。
【００１６】
図２に示されている例では、ローラヘッド２の研磨面４は、７個のピークを含み、それらのピークは、第１の粗さを有する７個の第１の面８、および、第２の粗さを有する７個の第２の面１０を有する。図２の差し込み部(inset)は、より詳細に示されている第１の面および第２の面を備える単一のピークを示している。
【００１７】
使用中、ユーザーは、ローラヘッド２を時計回り方向に回転させることによって第１の面８から第１のベネフィットをユーザーの皮膚に適用する。ローラヘッド２が時計回り方向に回転されるときに、各ピークの第１の面８は、順々にユーザーの皮膚に接触するようになる。ローラヘッドの第１の面８がユーザーの皮膚に接触するときに、第１のベネフィットがユーザーの皮膚に適用される。ローラヘッドが反時計回り方向に回転されるときに、各ピークの第２の面１０が順々にユーザーの皮膚に接触するようになり、第２のベネフィットがユーザーの皮膚に適用される。
【００１８】
図２の例は、研磨面４を備えたローラを示している。この例では、第１の面８は、第２の面１０と異なる粗さを有する。
【００１９】
ローラヘッド２は、電気機械機構を有するスキンケア装置と関連されて使用されることができる。ローラヘッド２は、スキンケア装置の電気機械機構がローラヘッドを回転させるように、スキンケア装置に挿入されることができ、結合されることができる。１つの例では、スキンケア装置は、電気機械機構の回転を、シャフト７を介してローラヘッドに伝達することによってローラヘッドを回転させるように構成されている。
【００２０】
ローラヘッドを使用している間のユーザーの経験は、ピークの数に依存する。より少ない数のピークは、各第１の面８および第２の面１０に対してより大きな面積を提供する。ユーザーの皮膚と、各第１の面および各第２の面１０との接触は、より少ない数のピークにより増加されるようになる。これにより、第１のベネフィットと第２のベネフィットとの違いはより大きくなる。より多くのピークは、より円形のローラヘッドを提供し、より円形のローラヘッドは、使用中のユーザーの快適さを増大させることができる。ピークの数は、ユーザーに、第１のベネフィットと第２のベネフィットとのより大きな違いを提供し、使用中に、より快適なローラヘッドを提供するように選択される。好ましい例では、ローラヘッドは、４〜８個のピーク、例えば５〜７個のピークを有する。ローラヘッドはまた、５個のピーク、６個のピーク、および／または、７個のピークを有することができる。
【００２１】
図１および図２に示されている例では、ローラヘッドは、連続面を有するピークを含む。例えば、ローラヘッドは、凸形ピーク、次いで、凹形トラフを有する。凸形ピークと凹形トラフの間のローラの面の勾配は、連続的である。
【００２２】
図３に示されているローラヘッドの面は、連続面を含む。ローラヘッドは、ピークを形成するように配置された一連の第１の四辺形部分１４および第２の四辺形部分１６を含む。第１の四辺形部分１４は、第１の面８を形成し、第２の四辺形部分１６は、第２の面１０を形成し、上述したように、第１の面８は、ユーザーの皮膚に第１のベネフィットを提供し、第２の面１０は、ユーザーの皮膚に第２のベネフィットを提供する。
【００２３】
図３に示されている例では、第１の四辺形部分１４および第２の四辺形部分１６は、第１の面８および第２の面１０に対応する角度付けされた面を形成するように高さが変わる。第１の四辺形１４は、ピークを形成するように第２の四辺形部分１６に対して反対にされており、第１の四辺形部分および第２の四辺形部分のこの構成により、第１の面８は、ローラに関して第２の面１０と異なる角度を有するようになる。
【００２４】
図３は、異なる数のピークを有するローラヘッドの横断面図を示している。図３(a)は、５個のピークを有するローラヘッドを示しており、それらのピークは、ユーザーの皮膚に第１のベネフィットを供給する５個の第１の面、および、第２のベネフィトを供給する５個の第２の面を提供する。図３(b)は、ユーザーの皮膚に第１のベネフィットを供給する６個の第１の面、および、第２のベネフィットを供給する６個の第２の面を備える６個のピークを有するローラヘッドを示している。図３(c)は、ユーザーの皮膚に第１のベネフィットを供給する８個の第１の面、および、第２のベネフィットを供給する８個の第２の面を備える８個のピークを有するローラヘッドを示している。図３(d)は、ユーザーの皮膚に第１のベネフィットを供給する９個の第１の面、および、第２のベネフィットを供給する９個の第２の面を備える９個のピークを有するローラヘッドを示している。
【００２５】
図４は、第１のベネフィットを提供するための第１の面８、第２のベネフィットを提供するための第２の面、および、ユーザーの皮膚にさらに別のベネフィットを提供するための追加の部分１２を有するローラヘッドの外側面を示している。このローラヘッドは、不連続面を有し、図３に記載されているローラヘッドと同様に、第１の四辺形部分１４、および、第２の四辺形部分１６を有し、それぞれ、第１の面８、および、第２の面１０を形成するように、第１の四辺形１４は、第２の四辺形１６に対して反対にされている。
【００２６】
図４(a)は、第１の四辺形部分１４と第２の四辺形部分１６の間にスロット１３を備えるローラヘッドの部分を示している。スロット１３は、追加の部分１２を挿入するために使用されることができる。図４(b)は、追加の部分１２がスロット１３に位置している図４(a)のローラヘッドを示している。追加の部分１２は、第１の面８によって提供される第１のベネフィット、および、第２の面１０によって提供される第２のベネフィットに加えて、さらに別のベネフィットを提供することができる。図４(c)は、ローラヘッド２の各端に位置するキャップ１８を備えるローラヘッドを示している。各端に位置するキャップ１８は、第１の四辺形部分１４、第２の四辺形部分１６、および、追加の部分１２を、ローラヘッド上の所定位置に固定することができる。
【００２７】
図４に示されている例では、第１の四辺形部分１４、第２の四辺形部分１６、および、追加の部分１２は、キャップ１８を介してローラヘッド上の所定位置に保持される。他の例では、第１の四辺形部分１４、第２の四辺形部分１６、および、追加の部分１２は、ローラの各端に位置するキャップ１８なしにローラヘッド上の所定位置に保持されることができる。例えば、ローラヘッド２は、成型によって、第１の四辺形部分１４、第２の四辺形部分１６、および、追加の部分１２が成型中に所定位置に保持されて、形成されることができる。
【００２８】
図４に示されている例では、追加の部分は、平らであり、第１の四辺形部分および第２の四辺形部分のローラヘッド面上の最も高い箇所の間に位置している。この構成は、各追加の部分が、ローラヘッドが時計回りまたは反時計回りのいずれの方向に回転されるときにも、皮膚に接触するようになることを可能にする。
【００２９】
追加の部分は、ユーザーに、保湿、硬い皮膚の除去、潤滑、マッサージ、および／または、剥脱のベネフィットを提供するために使用されることができる。例えば、第１の四辺形部分１４は、硬い皮膚を除去するために使用されることができ、第２の四辺形部分は、硬い皮膚を滑らかにするために使用されることができ、追加の部分１２は、皮膚を潤滑するために使用されることができる。
【００３０】
図４に示されている例では、各四辺形部分は、丸い縁を含む。
【００３１】
追加の部分１２はまた、ローラヘッドを固定するために使用されることができる。追加の部分はまた、ドラムの一体部分であることができる。
【００３２】
図１および図２に示されている例では、ローラヘッドは、第１のベネフィットを提供するための第１の面８、および、第２のベネフィットを提供するための第２の面１０を含む。ローラヘッドはまた、１つまたはそれ以上のベネフィットを提供するための追加の面を含むことができる。追加の面は、第１の面８と第２の面の間のピークの頂点に位置することができる。例えば、追加の面は、第１の面８および第２の面１０までのローラの面上で異なる角度を有することができる。追加の面は、平らであることができる。追加の面は、ユーザーに、保湿、硬い皮膚の除去、潤滑、マッサージ、および／または、剥脱のベネフィットを提供することができる。
【００３３】
上に示されている例では、第１の面８は、第１のベネフィットを提供し、第２の面１０は、第２のベネフィットを提供する。第１の面８は、２つ以上のベネフィットを提供することができ、および／または、第２の面は、２つ以上の第２のベネフィットを提供することができる。例えば、第１の面および第２の面は、ローラヘッドの周に沿って変わり得る。
【００３４】
追加の部分、第１の部分、および、第２の部分は、ユーザーの皮膚に異なるベネフィットを提供するために使用されることができる。追加の部分、第１の部分、および、第２の部分の２つまたはそれ以上はまた、ユーザーの皮膚に同じベネフィットを提供するために使用されることができる。
【００３５】
図５は、第１の部分１４および第２の部分１６を有するローラヘッドを示している。前に記載されているローラヘッドと同様に、図５のローラヘッドは、ドラム６およびシャフト７を含む。第１の部分１４および第２の部分１６は、第１の面８および第２の面１０を備えたピークを形成している。示されているように、第１の面８および第２の面１０は、台形形状の外側に向いた部分を有し、すなわち、面は、２つの平行な側部を備えた四辺形である。示されている例では、第１の面８および第２の面１０の２つの台形部分は、単一のピークを形成している。例えば、１つの台形部分は、第１の面８を形成し、その他の台形部分は、第２の面１０を形成している。
【００３６】
ローラヘッドは、台形部分を有する一連の第１の面８および第２の面１０を有することができる。例えば、台形部分によって形成される各第１の部分８および第２の部分１０は、単一のピークを形成しており、ローラヘッドは、一連の台形部分を使用して、多数のピークを有している。隣接した台形部分は、互いにスロットインすることができる。
【００３７】
図５に示されているように、ローラヘッドは、第１のベネフィットおよび第２のベネフィットを達成するのに必要とされるローラヘッドの向きをユーザーに指示するキャップ１８の指示器を有することができる。１つの例では、ローラヘッドは、ローラヘッドを与えられた方向に回転させることによって提供されるベネフィットを指示する面上の矢印、色指示、書体  および／または、シンボルを有することができる。
【００３８】
図５に示されている台形部分は、等しい長さを備えた２つの側部、および、他方の底部よりも大きい一方の底部を有する二等辺台形である。他の例では、台形部分は、他の形状を取ることができ、例えば、部分は、矩形形状、および／または、三角形形状を有することができる。１つの例では、ローラヘッドは、２以上の形状、例えば、矩形部分および台形部分、矩形部分および三角形部分、並びに、台形部分および三角形部分の組み合わせを有することができる。
【００３９】
図５に示されている例では、第１の面８および第２の面１０は、縁の１つに丸みを有し、他方の縁は、隣接する面と面一であるように平らである（例えば、第１の面８は、１つの第２の面１０に隣接する縁に丸みが付けられ、他方の第２の面１０に隣接した縁は平らである）。丸みは、丸みを付けけられた縁が、ローラヘッドが使用中に回転するときに真っ直ぐな縁の前で皮膚に接触するように位置している。ローラヘッドが回転するときに皮膚と最初に接触する縁の丸みは、ローラヘッドが回転するときに皮膚と接触するようになる部分の面積を増加させ、したがって、ローラヘッドの効能を増大させる。
【００４０】
１つの例では、第１の部分１４は、１つのキャップ１８に結合され、第２の部分１６は、もう１つのキャップ１８に結合されている。ピークを有するローラヘッドは、一方のキャップ１８を他方のキャップ１８に近づくように移動させることにより、第１の部分１４を第２の部分１６にスロットインすることによって形成される。他の例では、ローラヘッドは、凹形形状を有することができる。ローラヘッドはまた、他方の端よりも小さい径を備えた一方の端を有することができる。
【００４１】
更なる変形および開発は、本願に記載されている発明の範囲を逸脱することなく行われることができる。
【図１】
2021528170.tif 000003
【図２】
2021528170.tif 000004
【図３ａ】
2021528170.tif 000005
【図３ｂ】
2021528170.tif 000006
【図３ｃ】
2021528170.tif 000007
【図３ｄ】
2021528170.tif 000008
【図３ｅ】
2021528170.tif 000009
【図４ａ】
2021528170.tif 000010
【図４ｂ】
2021528170.tif 000011
【図４ｃ】
2021528170.tif 000012
【図５】
2021528170.tif 000013
【国際調査報告】
2021528170.tif 000014
2021528170.tif 000015
2021528170.tif 000016